(57)【要約】　　　（修正有）【課題】背の高い水栓金具や、壁面の水栓金具を気にすることなく、鏡を移動できるようにし、さらに使用者の身長にも関わらず使いやすい鏡とすることができるとともに、鏡を新たに設けることなく、コスト的にも安価な化粧鏡を提供する。【解決手段】本体１０１と、該本体１０１にリンク片１０４を介して取り付けられた鏡１０５を備えた化粧鏡において、前記リンク片１０４が一端を前記鏡に枢支させた第一の接続片１０４ａと、一端を前記本体１０１に枢支させた第２の接続片１０４ａとからなり、前記第１・第２の接続片の他端が互いに枢支された前記リンク片１０４を少なくとも２ヶ所取付け、前記鏡１０５が任意に傾斜自在とする。【選択図】　図１
2004065835.tif 000002
【特許請求の範囲】
【請求項１】
本体と、該本体にリンク片を介して取り付けられた鏡を備えた化粧鏡において、
前記リンク片が一端を前記鏡に枢支させた第一の接続片と、一端を前記本体に枢支させた第２の接続片とからなり、前記第１・第２の接続片の他端が互いに枢支された前記リンク片を少なくとも２ヶ所取付け、前記鏡が任意に傾斜自在であることを特徴とする化粧鏡。
【請求項２】
前記第１・第２の接続片の前記他端が互いに略垂直方向に枢支されたことを特徴とする請求項１に記載の化粧鏡。
【請求項３】
前記第１・第２の接続片の前記他端が互いに略水平方向に枢支されたことを特徴とする請求項１に記載の化粧鏡。
【請求項４】
前記第１・第２の接続片の前記他端が互いに段階的に回動するように枢支されたことを特徴とする請求項２または３に記載の化粧鏡。
【請求項５】
前記鏡がバックパネルと鏡止め具で構成されており、バックパネルまたは鏡止め具に把手が一体的に取り付けられていることを特徴とする請求項１乃至４のいずれかに記載の化粧鏡。
【発明の詳細な説明】
【０００１】
【発明の属する技術分野】
本発明は、洗面化粧台の後部上方に備えてなる化粧鏡に関するものである。
【０００２】
【従来の技術】
従来の化粧鏡は、図１０に示す如く、本体の上方部に照明を備え、側方部へ収納部、中央部に鏡で構成したものが一般的である。
また、化粧などの際に、近くで鏡を見ることができるように中央部の鏡を前方へ移動可能としたものとして実公昭６２−１６６７４６、特開平１０−２６２８４３、特開平１１−２４４１６６がある。
【０００３】
【発明が解決しようとする課題】
上記従来の技術では、鏡面が前方へ移動するため、使用者が鏡を近くで見たい場合、鏡の方へ顔を近づける必要がなく楽な姿勢で鏡を見ることができる。しかし、最近の洗面化粧台はシャワー水栓など背の高い水栓金具を使用したり、壁面に水栓金具を取り付ける場合があり、鏡の位置が高くなっている。このような洗面化粧台の場合、実公昭６２−１６６７４６のような構造の鏡では鏡がそのまま前方に移動するため、例えば背の低い子供が鏡を使う場合は十分な使い勝手が得られないという課題があった。
【０００４】
一方、特開平１０−２６２８４３、特開平１１−２４４１６６では鏡が前方かつ下方へ移動可能となっており前述のような課題が改善されているが、逆に背の高い使用者にとっては鏡を見るために、しゃがみ込む必要があり、かえって使いにくくなるという課題がある。
【０００５】
また、実公昭６３−７３０７３では鏡が突出自在でかつ傾動自在となっており使いやすさはよくなっている。しかし、小型の鏡であり部分的な範囲を写すことができるのみである。そのため用途が限られるとともに、化粧鏡に通常の鏡とは別に取り付ける必要があるためコストアップの要因となるという課題がある。
【０００６】
そこで、本発明では、背の高い水栓金具や、壁面の水栓金具を気にすることなく、鏡を移動できるようにし、さらに使用者の身長にも関わらず使いやすい鏡とすることができるとともに、鏡を新たに設けることなく、コスト的にも安価な化粧鏡を提供するものである。
【０００７】
【課題を解決するための手段】
上記課題を解決するため本発明は、本体と、該本体にリンク片を介して取り付けられた鏡を備えた化粧鏡において、前記リンク片が一端を前記鏡に枢支させた第一の接続片と、一端を前記本体に枢支させた第２の接続片とからなり、前記第１・第２の接続片の他端が互いに枢支された前記リンク片を少なくとも２ヶ所取付け、前記鏡が任意に傾斜自在であることを特徴とする。
【０００８】
本発明によれば、通常は従来の化粧鏡として使用でき、鏡を近くで見たい時は使用者の身長に関わらず、任意の方向へ鏡を引き寄せて楽な姿勢で使用することができる。
【０００９】
本発明の好ましい態様として、前記第１・第２の接続片の前記他端が互いに略垂直方向に枢支されたことを特徴とする。
鏡の前方に、シャンプー水栓など背の高い水栓金具を取り付けた洗面化粧台であっても水栓金具を回避しながら鏡を移動させることができる。
【００１０】
本発明の好ましい態様として、前記第１・第２の接続片の前記他端が互いに略水平方向に枢支されたことを特徴とする。
鏡の前方に、シャンプー水栓など背の高い水栓金具を取り付けた洗面化粧台であっても水栓金具を回避しながら鏡を左右方向に移動させればよいため、より軽い力で操作することができる。
【００１１】
本発明の好ましい態様として、前記第１・第２の接続片の前記他端が互いに段階的に回動するように枢支されたことを特徴とする。
鏡を移動させる際に音や感触で鏡の角度や位置を知ることができるとともに、鏡の位置決めをしやすくすることができる。
【００１２】
本発明の好ましい態様として、前記鏡がバックパネルと鏡止め具で構成されており、バックパネルまたは鏡止め具に把手が一体的に取り付けられていることを特徴とする。
鏡を移動させる際、鏡面に触れることがなくなるため、鏡面を汚さずに快適に使用することができる。
【００１３】
【発明の実施の形態】
以下に図面を参照して本発明をより具体的に説明する。
【００１４】
図１は本発明の一実施例に係る化粧鏡の外観斜視図である。化粧鏡の本体１０１は照明装置１０２が取り付けられた上方部、収納部として箱型に形成された側方部１０３、鏡１０５がリンク片１０４を介して取り付けられており、リンク片１０４及び鏡１０５が収まるよう箱型に形成された中央部１０６で構成されている。
鏡１０５の四隅に取り付けられたリンク片１０４は第１の接続片１０４ａと第２の接続片１０４ｂで構成されている。第１の接続片１０４ａは一端を鏡１０５に対し枢支されており、第２の接続片１０４ｂは一端を化粧鏡の本体１０１の中央部１０６に対し枢支されている。第１の接続片１０４ａと、第２の接続片１０４ｂの他端は互いに枢支されている。
【００１５】
図２は本発明の一実施例に係る化粧鏡の外観斜視図である。化粧鏡の本体１０１は照明装置１０２が取り付けられた上方部、収納部として箱型に形成された側方部１０３、鏡１０５がリンク片１０４を介して取り付けられており、リンク片１０４及び鏡１０５が収まるよう箱型に形成された中央部１０６で構成されている。
鏡１０５の四隅に取り付けられたリンク片１０４は第１の接続片１０４ａと第２の接続片１０４ｂで構成されている。第１の接続片１０４ａは一端を鏡１０５に対し略垂直方向に枢支されており、第２の接続片１０４ｂは一端を化粧鏡の本体１０１の中央部１０６に対し略垂直方向に枢支されている。第１の接続片１０４ａと、第２の接続片１０４ｂの他端は互いに略垂直方向に枢支されている。
【００１６】
図３は本発明の一実施例に係る化粧鏡の外観斜視図である。
化粧鏡の本体１０１は照明装置１０２が取り付けられた上方部、収納部として箱型に形成された側方部１０３、鏡１０５がリンク片１０４を介して取り付けられており、リンク片１０４及び鏡１０５が収まるよう箱型に形成された中央部１０６で構成されている。
鏡の３ヶ所に取り付けられたリンク片１０４は第１の接続片１０４ａと第２の接続片１０４ｂで構成されている。第１の接続片１０４ａは一端を鏡１０５に対し略水平方向に枢支されており、第２の接続片１０４ｂは一端を化粧鏡の本体１０１の中央部１０６に対し略水平方向に枢支されている。第１の接続片１０４ａと、第２の接続片１０４ｂの他端は互いに略水平方向に枢支されている。
【００１７】
図４（ａ）は本発明の一実施例に係る鏡１０５の側面図で、鏡１０５を収納した状態の図である。
鏡１０５を収納する場合は第１の接続片１０４ａと、第２の接続片１０４ｂが図４のように折りたたまれ、リンク片１０４が鏡１０５の裏側に収まる。
図４（ｂ）はさらにゴムやばねなどを用いた弾性体４０１により上方と下方のリンク片１０４を互いに連結した例である。弾性体４０１により鏡１０５の移動をより楽にさせることができるとともに、上下のリンク片１０４が鏡１０５の裏側に折れ曲がるようにガイドすることができる。
【００１８】
図５は本発明の一実施例に係る鏡１０５の側面図で、鏡１０５を前方へ突出させた状態の図である。
鏡１０５はリンク片が水平になるまで前方に引き出すことができる。第１の接続片１０４ａと、第２の接続片１０４ｂの長さは同じである必要はないが、それぞれが長いほど鏡１０５を前方に大きく引き出すことができる。また、リンク片１０４が略垂直方向に枢支されている場合は鏡１０５の裏面にリンク片１０４が収まるよう鏡１０５の高さ方向の長さよりも幾分小さく設定するのが望ましい。
【００１９】
図６は本発明の一実施例に係る鏡１０５の側面図で、鏡１０５を下向きに傾斜させた状態の図である。
上方のリンク片１０４を伸ばし、下方のリンク片１０４を曲げた状態とすることで鏡１０５は前方へ傾斜させることができるが、逆に上方のリンク片１０４を曲げ、下方のリンク片１０４を伸ばした状態とすることで上向きに傾斜させることもできる。傾斜角度を変えることで使用者の身長や立位、座位に関わらず、全身を鏡１０５に写すことができるようになる。
【００２０】
図７は本発明の一実施例に係る鏡１０５の側面図で、鏡１０５を前下方に引き出した状態の図である。
【００２１】
図８は本発明の一実施例に係るリンク片１０４の側面図である。
リンク片１０４は第１の接続片１０４ａと、第２の接続片１０４ｂで構成されている。第１の接続片１０４ａは一端が鏡１０５に枢支されており他端は歯車８０３が固定されている。一方、第２の接続片１０４ｂは一端が本体１０１に枢支されており、他端は板ばね取付け部８０１が固定されている。板ばね取付け部８０１は、中央部が突出した板ばね８０２の両端が固定されている。板ばね取付け部８０１と歯車８０３は互いに枢支されており、板ばね８０２と歯車８０３は咬合している。鏡１０５の移動によりリンク片が伸縮すると板ばね８０２と歯車８０３は互いに逆方向に回転するが、板ばね８０２と歯車８０３は互いに咬持したところで止まることになり、第１の接続片１０４ａと、第２の接続片１０４ｂが段階的に支持固定される。尚、板ばね８０２は金属や樹脂などある程度の弾性を有する素材を用いればよく、一端を板ばね取付け部８０１に固定し、他端を歯車に係合させただけでも構わない。
【００２２】
図９は本発明の一実施例に係る鏡１０５の外観斜視図である。
鏡１０５はバックパネル９０１に鏡止め具９０２で固定されている。把手９０３はバックパネル９０１の左右に取り付けられている。把手９０３を２ヶ所以上設けることにより鏡１０５の前方への引出しや角度調節をしやすくすることができる。把手９０３はバックパネル９０１の外周部分に付けられていればよいが、バックパネル９０１に開口部やつまみ部を設けるなど一体的に成形されたものでも構わない。また、鏡止め具９０２を使用せずバックパネル９０１に直接両面テープなどで鏡１０５を固定してもよい。
【００２３】
【発明の効果】
本発明では上記の構成とすることにより突出自在かつ傾動自在な鏡とすることができるため、背の高い水栓金具や、壁面の水栓金具を気にすることなく、鏡を移動できる。さらに使用者の身長にも関わらず使いやすい鏡とすることができるとともに、鏡を新たに設けることなく、コスト的にも安価な化粧鏡を提供することができる。
【図面の簡単な説明】
【図１】本発明の一実施例に係る化粧鏡の外観斜視図である。
【図２】本発明の一実施例に係る化粧鏡の外観斜視図である。
【図３】本発明の一実施例に係る化粧鏡の外観斜視図である。
【図４】本発明の一実施例に係る鏡の側面図で、鏡を収納した状態の図である。
【図５】本発明の一実施例に係る鏡の側面図で、鏡を前方に引き出した状態の図である。
【図６】本発明の一実施例に係る鏡の側面図で、鏡を下向きに傾斜させた状態の図である。
【図７】本発明の一実施例に係る鏡の側面図で、鏡を前下方に引き出した状態の図である。
【図８】本発明の一実施例に係るリンク片の側面図である。
【図９】本発明の一実施例に係る鏡の外観斜視図である。
【図１０】従来の化粧鏡の外観斜視図である。
【符号の説明】
１０１…本体、１０２…照明装置、１０３…側方部
１０４…リンク片、１０４ａ…第１の接続片、１０４ｂ…第２の接続片
１０５…鏡、１０６…中央部
４０１…弾性体
８０１…板ばね取付け部、８０２…歯車、８０３…板ばね
９０１…バックパネル、９０２…鏡止め具、９０３…把手
【図１】
2004065835.tif 000003
【図２】
2004065835.tif 000004
【図３】
2004065835.tif 000005
【図４】
2004065835.tif 000006
【図５】
2004065835.tif 000007
【図６】
2004065835.tif 000008
【図７】
2004065835.tif 000009
【図８】
2004065835.tif 000010
【図９】
2004065835.tif 000011
【図１０】
2004065835.tif 000012